(57)【特許請求の範囲】
【請求項１】
ポリオレフィン系樹脂をポリオレフィン系樹脂製袋に入れ、少なくとも１個以上のポリオレフィン系樹脂製袋をパレットの上に積み、積まれたポリオレフィン系樹脂製袋の全部を保管カバーで覆うポリオレフィン系樹脂の屋外保管方法であって、積まれたポリオレフィン系樹脂製袋の全部をポリオレフィン系樹脂カバーで覆い、その上に板を設置し、その上から保管カバーで覆うポリオレフィン系樹脂の屋外保管方法。
【発明の詳細な説明】
【０００１】
【発明の属する技術分野】
本発明は、ポリオレフィン系樹脂の屋外保管方法に関するものである。さらに詳しくは、風雨による水濡れ、汚れ等がなく、また、結露にさらされることなく、ポリオレフィン系樹脂を屋外で保管する方法に関するものである。
【０００２】
【従来の技術】
従来、ポリオレフィン系樹脂の保管方法は、ポリオレフィン系樹脂を紙袋に入れ、パレットの上に積み、屋内、例えば、風雨に直接さらされることがない倉庫等に保管されていた。しかし、ポリオレフィン系樹脂を屋内で保管する場合、先ず倉庫等の建屋が必要であり、建屋の大きさは限られているため、その中に保管できるポリオレフィン系樹脂の量は限られていた。また、建屋の管理が必要であり、その管理に要する費用は、製品であるポリオレフィン系樹脂の価格を高くする要因になっていた。
また、近年、上記紙袋に替え、より丈夫なポリオレフィン系樹脂製袋を使用することが始められたが、ポリオレフィン系樹脂製袋には、通気用の穴が設けられているため、袋中に水が進入したり、結露が発生したりすることがあるため、屋外での保管までには至っていないのが実状であった。
【０００３】
【発明が解決しようとする課題】
本発明は、風雨による水濡れ、汚れ等がなく、また、結露にさらされることなく、ポリオレフィン系樹脂を屋外で保管する簡便な方法を提供するものである。
【０００４】
【課題を解決するための手段】
本発明者らは、かかる実状に鑑み検討を行った結果、ポリオレフィン系樹脂をポリオレフィン系樹脂製袋に入れ、特定の屋外保管方法により、上記課題を解決できることを見出し本発明の完成に至った。
【０００５】
すなわち、本発明は、
ポリオレフィン系樹脂をポリオレフィン系樹脂製袋に入れ、少なくとも１個以上のポリオレフィン系樹脂製袋をパレットの上に積み、積まれたポリオレフィン系樹脂製袋の全部を保管カバーで覆うポリオレフィン系樹脂の屋外保管方法であって、積まれたポリオレフィン系樹脂製袋の全部をポリオレフィン系樹脂カバーで覆い、その上に板を設置し、その上から保管カバーで覆うポリオレフィン系樹脂の屋外保管方法に係るものである。
以下、本発明の詳細につき、説明する。
【０００６】
【発明の実施の形態】
本発明のポリオレフィン系樹脂とは、オレフィンの単独重合体又は共重合体であり、オレフィンとしては、例えば、エチレン、プロピレン及び炭素数４以上のα−オレフィンが挙げられ、α−オレフィンとしては、ブテン−１、ヘキセン−１、オクテン−１等が挙げられる。オレフィンとして、好ましくは、エチレン、プロピレン、ブテン−１、ヘキセン−１である。
【０００７】
ポリオレフィン系樹脂として、好ましくは、エチレン単独重合体、プロピレン単独重合体、エチレン−プロピレン共重合体、エチレン−ブテン−１共重合体、エチレン−ヘキセン−１共重合体、プロピレン−ブテン−１共重合体でる。また、これら重合体の混合物であっても良い。
【０００８】
また、ポリオレフィン系樹脂には、ポリオレフィン系樹脂を袋にした場合に、帯電を防止するために帯電防止剤や、光を反射し光の透過を防止するために着色剤等を添加しても良い。
【０００９】
本発明で用いるポリオレフィン系樹脂製袋とは、ポリオレフィン系樹脂からなる袋であり、ポリオレフィン系樹脂として、具体的には、前述のものが挙げられる。
【００１０】
ポリオレフィン系樹脂製袋の大きさとしては、特に制限はないが、積み重ねた場合に荷崩れしないという観点から、好ましくは、縦×横×高さが、４２０（ｍｍ）×１２０（ｍｍ）×８２０（ｍｍ）、４４０（ｍｍ）×１３０（ｍｍ）×８２０（ｍｍ）又は４４０（ｍｍ）×１３０（ｍｍ）×８５０（ｍｍ）のものが使用される。ポリオレフィン系樹脂製袋の厚みについても、特に制限はないが、袋が破れないという観点から、１６０〜１８０μｍのものが好ましく使用される。
また、ポリオレフィン系樹脂製袋の色についても、特に制限はないが、光を反射するという観点から、好ましくは、白色である。
【００１１】
ポリオレフィン系樹脂製袋の表面は、積み重ねて荷崩れしないという観点から、エンボス加工により作られた突起を有していることが好ましい。エンボス加工により作られる突起の高さとして、好ましくは２００μｍであり、幅として、好ましくは２〜３ｍｍである。
【００１２】
また、ポリオレフィン系樹脂製袋は、積み重ね易くするために袋の内部の空気を排除するという観点から、ピンホールを有していることが好ましい。ピンホールとしては、３つの孔を１箇所として、４箇所以上設けられていることが好ましい。
【００１３】
本発明で用いられるパレットとしては、特に制限はなく、ポリオレフィン系樹脂を入れたポリオレフィン系樹脂製袋等を載せ又は積み重ねて載せ、ポリオレフィン系樹脂製袋を移動、運搬、輸送等に用いるものである。パレットの大きさとしては、通常、縦×横×高さが、１１０ｃｍ×１１０ｃｍ×１４．４ｃｍ又は１４０ｃｍ×１１０ｃｍ×１４．４ｃｍものが使用される。また、パレットは、通常、木製、樹脂製のものが使用される。
【００１４】
本発明で用いられる保管カバーとしては、特に制限はなく、ポリオレフィン系樹脂を入れたポリオレフィン系樹脂製袋の全部を覆うことができるものであり、塩化ビニル重合体、エチレン−酢酸ビニル共重合体（ＥＶＡ）、エチレン−アクリル酸エステル共重合体、ポリエチレン等、または、これらの混合物を用いて作製されたシート状、袋状のもの等が挙げられる。また、保管カバーは、ポリオレフィン系樹脂を入れたポリオレフィン系樹脂製袋の全部を覆い、紐、ロープ、テープ等で固定できるものが好ましい。
【００１５】
本発明で用いられる板としては、特に制限はなく、最上部に雨、水等がたまらないようにするという観点から、好ましくは、平らな、一枚の板である。例えば、木板、プラスチック板、プラスチックダンボール板等が使用できる。また、板の大きさとしては、使用されるパレットより小さいものが使用される。
【００１６】
本発明で用いられるポリオレフィン系樹脂カバーとしては、特に制限はなく、積み重ねられたポリオレフィン系樹脂を入れたポリオレフィン系樹脂製袋の全部を覆うことができるものである。ポリオレフィン系樹脂カバーとしては、前述のポリオレフィン系樹脂を用いて作製されたシート状、袋状のもの等が挙げられる。このポリオレフィン系樹脂カバーは、雨、水、結露から、ポリオレフィン系樹脂及びポリオレフィン系樹脂を入れたポリオレフィン系樹脂製袋を保護するために、好適に用いられる。
【００１７】
本発明で用いられる網としては、特に制限はなく、保管カバーを覆うことができるものであり、好ましくは、紐、ロープ、テープ等で固定できるものである。
この網は、風、特に強風、暴風により、保管カバーが吹き飛ばされることを防止するために、好適に用いられる。
【００１８】
次に、本発明の詳細について、図を参照して説明する。
（１）ポリオレフィン系樹脂をポリオレフィン系樹脂製袋に入れ、少なくとも１個以上のポリオレフィン系樹脂製袋をパレットの上に積み、積まれたポリオレフィン系樹脂製袋の全部を保管カバーで覆うポリオレフィン系樹脂の屋外保管方法について、図１を参照して説明する。
【００１９】
図１中▲１▼はポリオレフィン系樹脂を入れたポリオレフィン系樹脂製袋を示している。このポリオレフィン系樹脂を入れたポリオレフィン系樹脂製袋▲１▼を、パレット▲２▼の上に載せ、ポリオレフィン系樹脂製袋▲１▼の上にさらにポリオレフィン系樹脂製袋▲１▼を積み重ねる。必要な個数のポリオレフィン系樹脂製袋▲１▼を積み重ねた後、積まれたポリオレフィン系樹脂製袋の全部を保管カバー▲３▼で覆い、保管カバー▲３▼をロープで固定して、屋外で保管する。
【００２０】
（２）ポリオレフィン系樹脂をポリオレフィン系樹脂製袋に入れ、少なくとも１個以上のポリオレフィン系樹脂製袋をパレットの上に積み、積まれたポリオレフィン系樹脂製袋の最上部に板を設置し、その上からポリオレフィン系樹脂製袋の全部を保管カバーで覆うポリオレフィン系樹脂の屋外保管方法について、図２を参照して説明する。
【００２１】
図２中▲１▼はポリオレフィン系樹脂を入れたポリオレフィン系樹脂製袋を示している。このポリオレフィン系樹脂を入れたポリオレフィン系樹脂製袋▲１▼を、パレット▲２▼の上に載せ、ポリオレフィン系樹脂製袋▲１▼の上にさらにポリオレフィン系樹脂製袋▲１▼を積み重ねる。必要な個数のポリオレフィン系樹脂製袋▲１▼を積み重ねた後、積まれたポリオレフィン系樹脂製袋の最上部に板▲３▼を載せる。板▲３▼及び積まれたポリオレフィン系樹脂製袋▲１▼の全部を保管カバー▲３▼で覆い、保管カバー▲３▼をロープで固定して、屋外で保管する。
【００２２】
（３）ポリオレフィン系樹脂をポリオレフィン系樹脂製袋に入れ、少なくとも１個以上のポリオレフィン系樹脂製袋をパレットの上に積み、積まれたポリオレフィン系樹脂製袋の全部を１個のポリオレフィン系樹脂製袋で覆い、その上に板を設置し、その上から保管カバーで覆うポリオレフィン系樹脂の屋外保管方法について、、図３を参照して説明する。
【００２３】
図３中▲１▼はポリオレフィン系樹脂を入れたポリオレフィン系樹脂製袋を示している。このポリオレフィン系樹脂を入れたポリオレフィン系樹脂製袋▲１▼を、パレット▲２▼の上に載せ、ポリオレフィン系樹脂製袋▲１▼の上にさらにポリオレフィン系樹脂製袋▲１▼を積み重ねる。必要な個数のポリオレフィン系樹脂製袋▲１▼を積み重ねた後、積まれたポリオレフィン系樹脂製袋の全部を１個のポリオレフィン系樹脂カバー▲３▼で覆い、その上に板▲４▼を載せる。板▲４▼及びポリオレフィン系樹脂カバー▲３▼で覆われた積み重ねたポリオレフィン系樹脂を入れたポリオレフィン系樹脂製袋▲１▼の全部を、さらに保管カバー▲５▼で覆い、保管カバー▲５▼をロープで固定して、屋外で保管する。
【００２４】
（４）ポリオレフィン系樹脂をポリオレフィン系樹脂製袋に入れ、少なくとも１個以上のポリオレフィン系樹脂製袋をパレットの上に積み、積まれたポリオレフィン系樹脂製袋の全部を保管カバーで覆い、さらにそれを網で覆うポリオレフィン系樹脂の屋外保管方法について、図４を参照して説明する。
【００２５】
図４中▲１▼はポリオレフィン系樹脂を入れたポリオレフィン系樹脂製袋を示している。このポリオレフィン系樹脂を入れたポリオレフィン系樹脂製袋▲１▼を、パレット▲２▼の上に載せ、ポリオレフィン系樹脂製袋▲１▼の上にさらにポリオレフィン系樹脂製袋▲１▼を積み重ねる。必要な個数のポリオレフィン系樹脂製袋▲１▼を積み重ねた後、積まれたポリオレフィン系樹脂製袋の全部を保管カバー▲３▼で覆い、さらにそれを網▲４▼で覆い、保管カバー▲３▼と網▲４▼を固定して、屋外で保管する。
【００２６】
【実施例】
次に、本発明を実施例により詳細に説明する。
実施例１
ポリエチレン２５ｋｇを、縦×横×高さが４２０ｍｍ×１２０ｍｍ×８２０ｍｍで、厚さが１８０μｍで、表面にエンボス加工がされており、ピンホールが４箇所設けられている白色のポリエチレン系樹脂製袋▲１▼に入れ、そのポリエチレンを入れたポリエチレン系樹脂製袋５袋を図５に示したようにパレット▲２▼の上に載せ、さらにその上にポリエチレンを入れたポリエチレン系樹脂製袋▲１▼を、図６に示したように８段積み重ねた。ポリエチレンを入れたポリエチレン系樹脂製袋▲１▼は合計４０袋で、ポリエチレンの重量は１トンであった。積み重ねたポリエチレンを入れたポリエチレン系樹脂製袋▲１▼４０袋の全部をポリオレフィン系樹脂カバー▲３▼で覆いロープで固定し、その上にプラスチックダンボール板▲４▼を載せ、そのプラスチックダンボール板▲４▼とポリオレフィン系樹脂カバー▲３▼で覆ったポリエチレンを入れたポリエチレン系樹脂製袋▲１▼４０袋の全部を保管カバーで覆って、ロープで固定した。さらに、保管カバー▲５▼の上から、網▲６▼で覆いロープで固定して、屋外で保管した。上述の方法で屋外に保管されたポリエチレンは、風雨による水濡れ、汚れがなく、また、結露にさらされることもない状態で保管された。
【００２７】
【発明の効果】
以上、説明したとおり、本発明により、風雨による水濡れ、汚れ等がなく、また、結露にさらされることなく、ポリオレフィン系樹脂を屋外で保管することができるようになった。
【図面の簡単な説明】
【図１】ポリオレフィン系樹脂入りポリオレフィン系樹脂製袋をパレットに積み保管カバーで覆う場合の図
【図２】ポリオレフィン系樹脂入りポリオレフィン系樹脂製袋をパレットに積み、板を載せ、保管カバーで覆う場合の図
【図３】ポリオレフィン系樹脂入りポリオレフィン系樹脂製袋をパレットに積み、ポリオレフィン系樹脂カバーで覆い、板を載せ、保管カバーで覆う場合の図
【図４】ポリオレフィン系樹脂入りポリオレフィン系樹脂製袋をパレットに積み、保管カバーで覆い、網で覆う場合の図
【図５】ポリエチレン入りポリオレフィン系樹脂製袋５袋をパレットに載せた図
【図６】実施例１の説明の図
【図１】
0004560944.tif 000002
【図２】
0004560944.tif 000003
【図３】
0004560944.tif 000004
【図４】
0004560944.tif 000005
【図５】
0004560944.tif 000006
【図６】
0004560944.tif 000007